(57)【要約】【課題】容易かつ安価に装備換えすることが可能な、横方向に延びたブックカバーの変形のための代替的な装置を得ること。【解決手段】第１の変形工具８と、第２の変形工具と、変形工具のうち１つのための動作位置７と、他の変形工具のためのそれぞれ１つの静止位置と、カウンタ工具と、工具ビーム１３と、収容要素１４とを有する装置１において、当該装置１が、それぞれ動作位置７に配置された変形工具のための唯一のアクチュエータ９を有しており、それぞれ動作位置７に配置された変形工具の工具ビーム１３が、アクチュエータ９と結合可能に形成されており、各変形工具が互いに離間され側方に調整可能な２つの成形レール１１，１１’，１２，１２’を備えており、これら成形レールが、それぞれ、それらの対向する側との間隔を共通に変更するよう調整可能に形成されている。【選択図】図１
2017193175.tif 000002
【特許請求の範囲】
【請求項１】
背の範囲（４）の両側で隣接する、横方向へ延びるブックカバー（２）のそれぞれ１つの折り範囲（６，６’）又は前記背の範囲（４）及び前記背の範囲（４）の両側で隣接する、横方向へ延びるブックカバー（２）のそれぞれ１つの折り範囲（６，６’）を、その後に前記ブックカバー（２）のうち１つと共に１つの本を形成するそれぞれ１つのブックブロックの背の形状に合わせて変形させるための装置であって、
−平らなの背を有するブックブロックに属するブックカバー（２）のための少なくとも１つの第１の変形工具（８，８’）と、前記ブックカバー（２）の前記背の範囲（４）の丸みを生じさせる、丸められた背を有するブックブロックに属するブックカバー（２）のための少なくとも１つの第２の変形工具（１０，１０’）と、
−前記変形工具（８，８’，１０，１０’）のうち１つのための動作位置（７）と、１つ又は複数の他の変形工具（８，８’，１０，１０’）のためのそれぞれ１つの静止位置（７’）と、
−前記ブックカバー（２）の背の範囲（４）の外側（１８）へ整向され、前記ブックカバー（２）の前記背の範囲（４）の幅に合わせて側方に調整可能な互いに離間して配置された２つのカウンタ成形レール（２０，２０’）を備えたカウンタ工具（１９）であって、前記変形工具（８，８’，１０，１０’）がその動作位置（７）で前記ブックカバー（２）の前記背の範囲（４）の内側（１７）へ整向されており、前記ブックカバー（２）の前記背の範囲（４）を前記両カウンタ成形レール（２０，２０’）の間へ持ち上げるように、及びこのとき前記ブックカバー（２）の背のウェブ（２８）を形成するように配置されている、前記カウンタ工具と、
−前記変形工具（８，８’，１０，１０’）に嵌合式又は係合式に結合されたそれぞれ１つの工具ビーム（１３）と、
−前記動作位置（７）に配置された前記変形工具（８，８’，１０，１０’）の前記工具ビーム（１３）のための収容要素（１４）と
を有する前記装置において、
−当該装置（１）が、それぞれ前記動作位置（７）に配置された前記変形工具（８，８’，１０，１０’）のための唯一のアクチュエータ（９）を有すること、
−それぞれ前記動作位置（７）に配置された前記変形工具（８，８’，１０，１０’）の前記工具ビーム（１３）が、前記唯一のアクチュエータ（９）と結合可能に形成されていること、及び
−前記各変形工具（８，８’，１０，１０’）が互いに離間され側方に調整可能な２つの成形レール（１１，１１’，１２，１２’）を備えており、これら成形レールが、それぞれ、それらの対向する側との互いの間隔を共に変更するよう調整可能に形成されていること
を特徴とする装置。
【請求項２】
前記アクチュエータ（９）が、動作位置（７）に位置する前記工具ビーム（１３）の長手中心軸線（１５）を通る仮想の垂直な平面に対して側方において配置されていることを特徴とする請求項１に記載の装置。
【請求項３】
少なくとも１つの予熱ステーション（６８，６８’，６９，６９’）が、前記静止位置（７’）に位置する前記少なくとも１つの変形工具（８，８’，１０，１０’）のために配置されていることを特徴とする請求項１又は２に記載の装置。
【請求項４】
前記少なくとも１つの予熱ステーション（６８，６８’，６９，６９’）が、当該装置（１）内若しくは当該装置（１）に、又はその近傍に配置されていることを特徴とする請求項３に記載の装置。
【請求項５】
前記各変形工具（８，８’，１０，１０’）に対して固有個別の予熱ステーション（６８，６８’，６９，６９’）が配置されていることを特徴とする請求項４に記載の装置。
【請求項６】
少なくとも１つのセンサ（７０）が、前記変形工具（８，８’，１０，１０’）の識別のために配置されていることを特徴とする請求項１〜５のいずれか１項に記載の装置。
【請求項７】
前記少なくとも１つのセンサ（７０）が、前記予熱ステーション（６８，６８’，６９，６９’）のうち少なくとも１つ内に配置されていることを特徴とする請求項６に記載の装置。
【請求項８】
前記少なくとも１つのセンサ（７０）が、前記工具ビーム（１３）のための収容要素（１４）に配置されていることを特徴とする請求項６に記載の装置。
【請求項９】
少なくとも１つの前記第１の変形工具（８，８’）が互いに離間した２つの成形レール（１１，１１’）を備えており、該成形レールが、前記ブックカバー（２）の前記背の範囲（４）の幅に合わせて側方に調整可能に配置されていることを特徴とする請求項１〜８のいずれか１項に記載の装置。
【請求項１０】
少なくとも１つの前記第２の変形工具（１０，１０’）が、固定された、前記カウンタ工具（１９）の方向に丸められた一つの中央成形ウェブ（２１）と、該中央成形ウェブ（２１）の側方に配置された、前記ブックカバー（２）の前記背の範囲（４）の丸み及び幅に合わせて側方に調整可能な、同様に前記カウンタ工具（１９）の方向に丸められた、２つの外側の成形レール（２２，２２’）とを備えていることを特徴とする請求項１〜９のいずれか１項に記載の装置。
【請求項１１】
前記中央成形ウェブ（２１）が、対称に形成されており、前記工具ビーム（１３）に対向する範囲において両側で、前記外側の成形レール（２２，２２’）を少なくとも部分的に収容するためのそれぞれ１つの凹部（２３，２３’）を備えていることを特徴とする請求項１０に記載の装置。
【請求項１２】
前記外側の成形レール（２２，２２’）が、前記中央成形ウェブ（２１）の長手中心軸線（２４）に対して対称に調整可能に形成されていることを特徴とする請求項１１に記載の装置。
【請求項１３】
変形されるべき前記ブックカバー（２）の背の範囲（４）の異なる厚さ等級に対してそれぞれ適当な少なくとも２つの第１の変形工具（８，８’）と、変形されるべき前記ブックカバー（２）の背の範囲（４）の異なる厚さ等級に対してそれぞれ適当な少なくとも２つの第２の変形工具（１０，１０’）とが配置されていることを特徴とする請求項１〜１２のいずれか１項に記載の装置。
【請求項１４】
前記収容要素（１４）が加熱要素として形成されていることを特徴とする請求項１〜１３のいずれか１項に記載の装置。
【発明の詳細な説明】
【技術分野】
【０００１】
本発明は、背の範囲の両側で隣接する、横方向へ延びるブックカバーのそれぞれ１つの折り範囲又は前記背の範囲の両側で隣接する、横方向へ延びるブックカバーのそれぞれ１つの折り範囲を、それぞれ１つの前記ブックカバーのうち１つと共にフレキシブルに１つの本を形成するそれぞれ１つのブックブロックの背の形状に合わせて変形させるための装置に関するものである。この装置は、平らな背を有するブックブロックに属するブックカバーのための少なくとも１つの第１の変形工具と、前記ブックカバーの前記背の範囲の丸みを生じさせる、丸められた背を有するブックブロックに属するブックカバーのための少なくとも１つの第２の変形工具を有している。この装置は、そのほか、前記変形工具のうち１つのための動作位置と、１つ又は複数の他の変形工具のためのそれぞれ１つの静止位置とを備えている。さらに、装置は、前記ブックカバーの背の範囲の外側へ整向され、前記ブックカバーの前記背の範囲の幅に合わせて側方に調整可能な互いに離間して配置された２つのカウンタ成形レールを備えたカウンタ工具を備えている。このとき、前記変形工具がその動作位置で前記ブックカバーの前記背の範囲の内側へ整向されており、前記ブックカバーの前記背の範囲を前記両カウンタ成形レールの間へ持ち上げるように、及びこのとき前記ブックカバーの背のウェブを形成するように配置されている。さらに、装置は、前記変形工具に嵌合式又は係合式に結合されたそれぞれ１つの工具ビームを備えているとともに、前記動作位置に配置された前記変形工具の前記工具ビームのための収容要素とを有する。
【背景技術】
【０００２】
ハードカバーブックの産業上の本の製造は、主に本の製造ライン上で行われ、この本の製造ライン上では、それぞれ対応するブックカバーと製造された本が一体化される。いわゆる表紙付け（Ｅｉｎｈａｅｎｇｅｎ）時に、すなわちブックカバーをブックブロックに接着する際に、調和した結合のためのそのエッジの正確な接合が決定的である。そのため、事前の適合及び場合によってはその中央範囲、すなわち製造された本においてブックブロックの背を収容する背の範囲におけるブックカバーの変形が高い本の品質にとって重要である。両側で直接中央範囲につながる、製造された本の後の開口ヒンジ（Ｏｅｆｆｎｕｎｇｓｓｃｈａｒｎｉｅｒｅ）を形成するブックカバーの折り範囲の変形も同様に重要である。それぞれ熱作用の下で行われるブックカバーの変形についての要件及びこれに伴うこのために用いられる変形工具についての要件は、製造された本が丸められた背を有するか、又は角のある背を有するかに基づいて、並びに丸みの形状及び本の厚さに応じて異なる。これに対応して、変形工具は調整可能及び／又は交換可能に形成されている必要がある。
【０００３】
特許文献１から、表紙付け装置を有する製本機械が知られており、この製本機械では、マガジンからのブックカバーが変形ステーションへ移行される。そこでは、ブックカバーが、まずは背の範囲において変形工具によって予備成形される。背の範囲をブックカバーの側方の表紙に対して分離された折り範囲を形成するために、カウンタ工具の２つの折り変形レールが、変形工具の持上げ中に、互いに反対方向へ少なくともブックカバーまで案内される。特許文献１において非常に一般的にのみ記載されたこのアプローチを、特許文献２から詳細に見て取ることができる。そこでは、ブックカバーの背の範囲がブックブロックの形状に合わせて形成された、加熱された変形工具を用いて弾性的に変形可能な支え台に対して押圧される。このとき、背の範囲が丸められ、押圧された折り範囲がフレキシブルにされる。通常、変形工具は、慣用の形状に依存した段階付けにおいて準備されるとともに、ブックカバーの背の形状の変更時又は対応するブックブロックの厚さ等級の変更時には交換される。
【０００４】
しかしながら、このために必要な変形工具の手動の交換は、機械の準備時間が長くなってしまう。加えて、新たに使用される変形工具は、また動作温度を有しておらず、したがって組み込み後まずは加熱される必要がある。
【０００５】
これに対して、特許文献３には、丸められた背を有する本の製造のための変形工具が開示されており、この変形工具は、フレームの高さについて調整可能な、並んで立設された複数の薄板を有する四角形状のフレームを備えている。しかし、同一の本の厚さにおいて異なるように丸み付けされた背の範囲を有するブックカバーを製造することができるように、適当に異なるように調整可能な薄板を有する複数の変形工具を準備する必要がある。加えて、薄板の最小厚さは、背の範囲のあらかじめ設定された湾曲プロフィルへの段階的な近似のみを生じさせる。最終的に、薄板は、その可動性及び必要な高さによって、かなりの慣性によってのみ加熱されることが可能である。
【０００６】
特許文献４により、平らな背を有する本のためのブックブロックを変形させるための装置が知られている。それぞれ製造されるべき本の厚さ等級に応じて交換可能なその変形工具は、互いに離間し、それぞれ脚部レールを用いて工具ビーム上に載置された、垂直に立設した２つの成形レールを有している。成形レールは、初期位置において、初めはまだ延びた状態にあるブックブロックの下方かつこのブックブロックから離間して配置されている。背の範囲の両側に設けられたブックカバーの折り範囲の形成のために、成形レールは、その工具ビームと共に上方に配置されたカウンタ成形レールに対して持ち上げられている。ブックカバーの変形のために、変形工具を介して加熱がなされる。このために、変形工具を支持する工具ビームが、加熱要素として形成され、ヒータロッドを備えた中間要素上に位置している。加熱要素によって、変形工具が動作温度にもたらされ、また、この温度に維持もされる。
【０００７】
成形レールは、その各脚部レールを介してガイド平面においてそれぞれその長手延長部に沿って互いに離間し、偏心して垂直な軸線周りに回転可能に駆動され、工具ビームにおいて案内された２つの連行部材に連結されている。両支持レールの間隔と、これに伴うブックカバーの背の範囲の幅とは、所定の厚さ等級内で共通の駆動部を用いて行われる連行部材の調節によって設定されることが可能である。このとき、工具ビームへの作動力の入力がこの下方に配置された作動機構を用いて行われる。アクチュエータが変形工具の長手軸線と平行に配置されている。
【０００８】
特許文献５には、平らな背を有する本のブックカバーのための第１の変形工具のほかに、丸められた背を有する本のブックカバーのための第２の変形工具も開示されている。第２の変形工具によって、ブックカバーの背の範囲をその延ばされた状態から持ち上げるときに丸めることができ、背の範囲の異なるフォーマット及び輪郭を製造することが可能である。このために、この変形工具は基礎要素を備えており、この基礎要素では、基礎要素から持ち上げられることができるように第１の成形要素が変位可能に配置されている。同様に、第１の成形要素においては第２の成形要素が配置されているため、両フォーマット要素を、互いに対して、又は基礎要素に対して、平坦に延びたブックカバーに対して垂直な平面において調整することが可能である。これに対して、平坦に延びたブックカバーに対して水平な平面では、第１の成形工具互いに離間した成形要素の調整が行われる。その上、その調整が共通に行われ、この際に成形要素の互いの間隔が調整される。しかしながら、両成形工具のこの異なる調整を実行するために、異なる部材が必要であり、これにより、比較的大きな製造コスト及び交換コストが生じることとなる。変形工具が同一のインターフェースを備えているため、これら変形工具は、必要に応じて、すなわち平らな背を有する本のためのブックカバーの変形から丸められた背を有する本のためのブックカバーの変形へのタスク変更の際に、互いに対して交換されることが可能である。このとき、両成形要素は、それぞれ１つの分離されたアクチュエータと、これに伴いそれぞれ結合された作動要素とを備えている。しかし、二重にされたアクチュエータと作動要素により、比較的長く構成されたこの装置は、比較的手間がかかるとともに高価である。加えて、変形工具を介した追加的な加熱による形状のサポートがなされないか、又は新たに用いられる変形工具はその最初の使用前に予熱される必要がある。
【先行技術文献】
【特許文献】
【０００９】
【特許文献１】独国特許出願公開第１４３６０８６号明細書
【特許文献２】独国特許出願公開第１９８５３２５４号明細書
【特許文献３】欧州特許出願公開第１３５０６３４号明細書
【特許文献４】欧州特許出願公開第２３２５０２０号明細書
【特許文献５】欧州特許出願公開第２９２３８５２号明細書
【発明の概要】
【発明が解決しようとする課題】
【００１０】
したがって、本発明の課題は、平らな背を有する本のためのブックカバーの変形のための動作タスクから丸められた背を有する本のためのブックカバーの変形のための次の動作タスクへ、及びこれとは逆に容易かつ安価に装備換えすることが可能な、横方向に延びたブックカバーの変形のための代替的な装置を得ることにある。
【課題を解決するための手段】
【００１１】
上記課題は、請求項１の特徴部分による装置によって解決される。この装置の有利な実施形態は、従属請求項の対象である。
【００１２】
本発明による装置は、それぞれ動作位置に配置された変形工具のための唯一のアクチュエータを有している。それぞれ動作位置に配置された変形工具の工具ビームは、唯一のアクチュエータと結合可能に形成されている。各変形工具は互いに離間され側方に調整可能な２つの成形レールを備えており、これら成形レールは、それぞれ、それらの対向する側との間隔を共通に変更するよう調整可能に形成されている。
【００１３】
それぞれ動作位置に配置された変形工具の成形レールのための唯一のアクチュエータを用いることで、装置を比較的容易かつ安価に実現することが可能である。加えて、全ての変形工具が同様に調整可能に形成されているため、それぞれ同一の作動要素を用いることができ、これにより、装置の製造コストが更に削減され、交換コストも低減される。
【００１４】
本発明による装置の一実施形態によれば、アクチュエータは、動作位置に位置する工具ビームの長手中心軸線を通る仮想の垂直な平面に対して側方において配置されている。これにより、装置を非常にコンパクトに構成することが可能である。
【００１５】
本発明による装置の別の一実施形態によれば、少なくとも１つの予熱ステーションが、静止位置に位置する少なくとも１つの変形工具のために配置されている。新たな動作タスクでは、対応する変形工具は、あらかじめ加熱され、静止位置から動作位置へ移行される。そのため、新たな変形工具は迅速に動作可能となっており、これにより、比較的短いタスク交換を実現することが可能である。
【００１６】
本発明による装置の別の一実施形態によれば、少なくとも１つの予熱ステーションは、装置内若しくは装置に配置されているか、又は予熱ステーション内で予熱された変形工具の温度が装置へのその搬送中及び装置への組み込み中に後続において下降されるべきブックカバーの変形に必要な動作温度より低下しないか、少なくとも本質的に低下しないように装置の近傍に配置されている。後者の場合には、該当する変形工具が、直ちに、すなわちタスク交換を時間的に阻害しないか、又はほぼ阻害しない期間内に装置内に配置された加熱要素によって動作温度へもたらされる。少なくとも１つの予熱ステーションが装置内若しくは装置に配置されているか、又はその近傍に配置されていれば、予熱され、これにより高温の変形工具は、承認されていないアクセスから保護される。
【００１７】
適当な生産制御によって、生産タスクをフォーマット本組み（Ｆｏｒｍａｔｕｍｂｒｕｃｈ）に合わせてまとめることができ、後続のタスクが予熱された同一の変形工具によって進行されるため、機械の能率が向上する。
【００１８】
本発明による装置の次の一実施形態によれば、各変形工具に対して唯一の予熱ステーションが配置されている。これにより、変形工具の更に迅速な交換と、これに伴うより迅速なフォーマット変更を行うことができ、これにより装置の性能が向上する。
【００１９】
本発明による装置の別の一実施形態によれば、少なくとも１つのセンサが、変形工具の識別のために配置されている。この識別によって、各動作タスクへの変形工具の既にあらかじめなされるエラーのない割当てと、同様に最終的な性能向上とが可能である。
【００２０】
本発明による装置の別の一実施形態によれば、少なくとも１つのセンサが、予熱ステーションのうち少なくとも１つ又は工具ビームのための収容要素に配置されている。これにより、動作タスクに応じて有利には変形工具の識別のための複数のオプションが得られる。
【００２１】
本発明による装置の次の一実施形態によれば、少なくとも１つの第１の変形工具が互いに離間した２つの成形レールを備えており、該成形レールが、ブックカバーの背の範囲の幅に合わせて側方に調整可能に配置されている。平らな背を有する本のブックカバーの変形のためのこの公知の解決手段により、少なくとも１つの変形工具を有する本発明による装置においても、ブックカバーの中央範囲が、ブックカバーの平らな背のウェブも、また両側で直接接続する開口ヒンジも生じるように、カウンタ工具と協働して変形されることが可能である。
【００２２】
本発明による装置の別の一実施形態によれば、少なくとも１つの第２の変形工具が、固定された、カウンタ工具の方向に丸められた中央成形ウェブと、該中央成形ウェブの側方に配置された、ブックカバーの背の範囲の丸み及び幅に合わせて側方に調整可能な、同様にカウンタ工具の方向に丸められた、２つの外側の成形レールとを備えている。平らな背を有する本のためのブックカバーの変形から丸められた背を有する本のためのブックカバーの変形のための第２のタスクへの対応するタスク交換においては、この第２の変形工具、すなわち凸状に形成された部材、つまり両第２の成形レール及び中央成形ウェブによって、ブックカバーの丸められた背のウェブも、また両側で直接接続される開口ヒンジも生じさせることが可能である。
【００２３】
本発明による装置の次の一実施形態によれば、中央成形ウェブが、対称に形成されており、工具ビームに対向する範囲において両側で、外側の成形レールを少なくとも部分的に収容するためのそれぞれ１つの凹部を備えている。これにより、丸み及びブックカバーの背の範囲の幅の調整のための第２の成形レールが中央成形ウェブの輪郭内へ入り込み、これにより第２の変形工具の比較的大きな作動範囲が可能となる。
【００２４】
本発明による装置の別の一実施形態によれば、第１及び第２の成形レールが、中央成形ウェブの長手中心軸線に対して、したがって変形工具の長手軸線に対して対称に調整可能に形成されている。これにより、ブックブロックの対称な形成と同様に、ブックカバーも対象に形成されることが可能である。このことは、有利には、唯一のアクチュエータによって実現することが可能である。
【００２５】
本発明による装置の別の一実施形態によれば、変形されるべきブックカバーあるいはこれに属するブックブロックの背の範囲の異なる厚さ等級に対してそれぞれ適当な少なくとも２つの第１の変形工具と、変形されるべきブックカバーあるいはこれに属するブックブロックの背の範囲の異なる厚さ等級に対してそれぞれ適当な少なくとも２つの第２の変形工具とが配置されている。例えば、２つの第１及び第２の変形工具を備えた装置は、平らな背の範囲も、また丸められた背の範囲も有する複数のブックカバーを６０ｍｍまでの厚さを有する対応するブックブロックについて変形させることが可能である。
【００２６】
変形工具の数量がわずかであるため、コード化された固有の予熱ステーションを各変形工具に割り当てることができ、その温度を処理されるべきブックカバーに依存して調整することができる。異なる材料の温度調整は、機械制御部にメモリされているとともに、連続タスクの存在するタスクデータに基づいてコード化された予熱ステーションへ割り当てられることが可能である。加えて、変形工具のコード化により、機械におけるその使用を監視し、誤った調整を防止することが可能である。
【００２７】
変形工具に対応した厚さ等級の段階は、製本機械の他の交換部分に依存しているため、この段階内における効率的な生産が保証されている。したがって、本の厚さについての段階は、１つの段階において本の製造ラインの範囲で交換部分が交換される必要がないように設定されている。
【００２８】
本発明による装置の別の一実施形態によれば、収容要素が加熱要素として形成されている。この加熱要素によって、装置におけるその動作位置に位置する変形工具が、動作温度に維持されることができ、またこの温度へもたらされることも可能である。
【００２９】
以下に、本発明を実施例に基づいて詳細に説明する。
【図面の簡単な説明】
【００３０】
【図１】第１の変形工具と、変形工具のための例示的なアクチュエータ及びその結合要素を有する、横方向に延びたブックカバーの変形のための本発明による装置の空間的な部分図である。
【図２】本発明による装置の第２の変形工具の空間的な図示であり、アクチュエータ及び結合要素は省略されている。
【図３】変形工具が取り外されている、図１に基づく装置の図示である。
【図４】カウンタ工具及び変形されたブックカバーを有する、図１に図示された装置の断面図である。
【図５】第２の変形工具と、カウンタ工具と、変形のために準備された第１のフォーマットのブックカバーとを有する、本発明による装置の一部を示す図である。
【図６】丸められたブックカバーを有する、図５に対応する本発明による装置の一部を示す図である。
【図７】第２のフォーマットのブックカバーを有する、図５に対応する本発明による装置の一部を示す図である。
【図８】第２のフォーマットの丸められたブックカバーを有する、図７と同様な本発明による装置の一部を示す図である。
【図９】変形工具のための４つの予熱ステーションを備えたカバー供給部に例示的に統合された本発明による装置の平面斜視図である。
【発明を実施するための形態】
【００３１】
図１には、本発明による、横へ延びるブックカバー２（図５、図７）を変形させるための装置１が示されており、これらブックカバーは、後天的にそれぞれ１つの、１つの平らな背を備えた不図示のブックブロックと共に同様に不図示の本へ組み立てられる。このようなブックカバー２は、本質的に、側方の２つの本の表紙３，３’と、ブックブロックの背を収容する背の範囲４と呼ばれる中央部（図４〜図９）とで構成されている。背の範囲４は、その内側において、例えば厚紙又は古紙から成る補強された挿入物５を備えることが可能である。ブックカバー２は、背の範囲４の両側で、この背の範囲を本の表紙３と結合し、完成された本においてそれぞれ１つの開口ヒンジを形成するそれぞれ１つの折り範囲６，６’を備えている（図４〜図８）。
【００３２】
図１に図示されているように、装置１は、動作位置７にあり、更に、下げられた状態から持ち上げられた状態へもたらされた第１の変形工具８を備えており、この第１の変形工具は、駆動モータとして形成されたアクチュエータ９に連結されている。アクチュエータとして、当然、例えばスピンドル駆動部又はウォーム駆動部を用いることが可能である。
【００３３】
図２には装置１の第２の変形工具１０が示されており、この第２の変形工具は、装置１にあり横へ延びるブックカバー２が現実の製造タスクに従って平らな背の範囲４’（図４）を有するブックカバー２’へ変形される代わりに丸みのある背の範囲４”（図６、図８）を有するブックカバー２”へ変形されるべき場合に、同一のアクチュエータ９へ連結される。第１の変形工具８あるいは第２の変形工具１０による変形時には、それぞれ両折り範囲６，６’が、丸味のあるブックブロックのために設けられたブックカバー２において第２の変形工具１０によって、その背の範囲４も更に延ばされた位置から、変形されたブックカバー２’，２”が対応するブックブロックから本へ結合されるのにつづいて適するように変形される。
【００３４】
図１において同様に図示されているように、第１の変形工具８は、互いに離間して垂直に立設されつつ変形されるべきブックカバー２の背の範囲４に対して平行に整向された第１の成形レール１１，１１’を有している。これら成形レール１１，１１’は、その下端部において、それぞれ１つの脚部レール１２，１２’を備えており、これら脚部レール１２，１２’は、当該脚部レール側において、共通の工具ビーム１３上で側方にオフセット可能に載置されているとともに、この工具ビームに嵌合式又は係合式に結合されている。このようにして、成形レール１１，１１’は、ブックカバー２の背の範囲４の必要な幅に合わせて互いに調整されることが可能である。
【００３５】
成形レール１１，１１’は、その下側において、例えば不図示の永久磁石又はオン／オフ可能な電磁石を備えており、これら永久磁石又は電磁石は、鉄を含有する工具ビーム１３の上側において比較的大きな引力を生じさせる。この引力は、工具ビーム１３の上側と成形レール１１，１１’の間の密接な接触に寄与するものであり、その結果、成形レール１１，１１’への良好な熱伝達が保証されている。
【００３６】
工具ビーム１３は、ほぼ成形レール１１，１１’あるいは脚部レール１２，１２’の長さを占有するとともに、装置１によって変形されるべき最大のブックカバー２に必要な成形レール１１，１１’の間隔よりも大きな幅で形成されている。第１の変形工具８のようにその動作位置７に位置する工具ビーム１３は、装置１の収容要素１４上に載置されている。アクチュエータ９は、工具ビーム１３の長手中心軸線１５を通る仮想の垂直な平面に対して側方で配置されている（図３）。成形レール１１，１１’は、工具ビーム１３の長手中心軸線１５に対して対称に配置に配置されているとともに、この長手中心軸線１５に対して対称に調整可能に形成されている。
【００３７】
少なくともほぼブックカバーの高さにわたって延在する第１の変形工具８は、その下げられた状態において、最初は、ブックカバー２の変形に寄与する図４に示された載置面１６の下方かつこれから離間して位置している。この載置面は、装置１の下流に配置された、変形されたブックブロック２’，２”を有するブックブロックの結合に寄与する不図示の表紙付け機（Ｅｉｎｈａｅｎｇｅｍａｓｃｈｉｎｅ）のブックブロックの搬送方向に対して横方向に延びている。
【００３８】
装置１は、それぞれ動作位置７に位置し、変形されるべきブックカバー２’の背の範囲４’，４”の内側１７へ向けられた変形工具８，１０以外に、変形工具８，１０の上方に配置され、この変形工具８，１０と協働しこのブックブロック２の背の範囲４’，４”の外側１８へ向けられたカウンタ工具１９も備えている。カウンタ工具１９は、互いに離間しつつ垂直に立設され、変形されるべきブックブロック２の背の範囲４に対して平行に向けられた２つのカウンタ成形レール２０，２０’（図４）を有している。これらカウンタ成形レールは、同様にブックカバー２の背の範囲４の必要な幅に合わせて調整可能に形成されている。
【００３９】
図２に対応して、第２の変形工具１０は、固定され、カウンタ工具１９（図５）の方向に向けられ、丸められた中央成形ウェブ２１と、この中央成形ウェブ２１の側方に配置され、変形されるべきブックカバー２の背の範囲４の丸み及び幅に合わせて側方で調整可能な、同様にカウンタ工具１９の方向へ向けられ、丸められた、外側の２つの第２の成形レール２２，２２’とを備えている。中央成形ウェブ２１は、対称に形成されているとともに、工具ビーム１３に対向する範囲において、両側でそれぞれ１つの、少なくとも部分的に外側の成形レール２２，２２’を収容するための凹部２３，２３’を備えている。成形レール２２，２２’は、中央成形ウェブ２１の長手中心軸線１５に対して対称に調整可能に形成されている。
【００４０】
第１の変形工具８の成形レール１１，１１’に対応して、第２の変形工具１０の外側の成形レール２２，２２’も、その下側で例えば不図示の永久磁石又はオン／オフ可能な電磁石を備えており、これら永久磁石又は電磁石は、鉄を含有する工具ビーム１３の上側において比較的大きな引力を生じさせるものである。この引力は、工具ビーム１３の上側と外側の成形レール２２，２２’の間の密接な接触に寄与するものであり、その結果、これら成形レール２２，２２’への良好な熱伝達及びこれに伴う変形されるべきブックカバー２への熱伝達も保証されている。上述の引力に加えて、端面側の２つのガイド２５，２５’が各ブックカバー２の変形時におけるプロセス力を受け入れることが可能である。このために、端面側の両ガイド２５，２５’のそれぞれの２つの外返し部２６，２６’が、外側の成形レール２２，２２’の端面側の溝２７，２７’内へ入り込んでいるとともに、成形レールの工具ビーム１３への接触を維持するものである。端面側の両ガイド２５，２５’の調整は、これらガイドが数百度による熱膨張にも損傷なく持ちこたえ、外側の成形レール２２，２２のスムーズな変位を妨害しないように寸法設定され得る。
【００４１】
各変形工具８，１０は、背の範囲４の両側に設けられたブックカバー２の折り範囲６，６’の変形のために、まず、工具ビーム１３によって共通に、上方に配置されたカウンタ工具１９あるいはそのカウンタ成形レール２０，２０’に対して持ち上げられ、このとき、成形レール１１，１１’あるいは中央成形ウェブ２１及び外側の成形レール２２，２２’によってブックカバー２’，２”の背のウェブ２８が形成される。このとき、第２の変形工具１０の中央成形ウェブ２１及び外側の成形レール２２，２２’の丸みは、更に対応するブックブロックの背の丸みに合わせてブックカバー２”の背の範囲４”の丸み付けに寄与するものである。
【００４２】
図３には、変形工具８，１０が取り外された、本発明による装置１の部分的な図示が示されている。これにより、ガイド面として機能する平滑な工具ビーム１３の載置面２９を見て取ることができ、この載置面は、それぞれその動作位置７にある、ここでは不図示の変形工具８，１０についての良好な摺動特性を有している。見て取れるように、工具ビーム１３は、回転体、例えば垂直な回転軸線３０，３０’周りに駆動可能なディスク３１，３１’を収容するためのものでもあり、これらディスクは、工具ビーム１３に沿って互いに離間した工具ビーム１３の凹部３２，３２’内で支持されている。ディスク３１，３１’は、動作位置にある変形工具８，１０へ整向されたその側において、各回転軸線３０，３０’に関して互いに対向する連行部材３３，３４，３３’，３４’を備えている。
【００４３】
ディスク３１，３１’は、動作位置７にある変形工具８，１０に接触しないように工具ビーム１３において下降している。変形工具８，１０は、工具ビーム１３上に載置されたその側においてそれぞれディスク３１，３１’の回転軸線３０，３０’に対して平行に整向された凹部３５，３５’を備えており、これら凹部は、例えばスタッドピンとして形成された連行部材３３，３４，３３’，３４’によって少なくとも部分的に貫通されている。第１の変形工具８の図１において前方の脚部レール１２’の凹部３５，３５’と共に連行部材３４，３４’のそれぞれ１つの対応する協働のみが図示されている。当然、後方の脚部レール１２も、対応し、しかしここでは覆われている凹部３５，３５’も備えており、これら凹部内にはそれぞれ連行部材３３，３３’のうちの１つが係合している。
【００４４】
それぞれ１つの最適に有効で、共通に互いに対して整向された、脚部レール１２，１２’に結合された第１の変形工具８の成形レール１１，１１’あるいは第２の変形工具１０の外側の成形レール２２，２２’の側方ストロークを達成することができるように、ディスク３１，３１’の連行部材３３，３４，３３’，３４’が、初期位置において、工具ビーム１３の長手中心軸線１５に対して例えば４５°の角度で、直径において対向するように整向されている（図３）。ディスク３１，３１’の回転運動は、各ディスク３１，３１’の周囲において固定され、工具ビーム１３から側方へ突出する運動カム３６，３６’によって、摺動装置３８のスライダ３７を用いて実現され、この摺動装置は、駆動カム３９に結合されている。これにより、第１の変形工具８の成形レール１１，１１’あるいは第２の変形工具１０の外側の成形レール２２，２２’の間の間隔の一様な変化が保証される。この間隔の調節あるいは調整は、モータによる力又は手動での力によって行われる。精度を向上させるために、制御可能なモータに結合された制御部を用いることも可能である。
【００４５】
工具ビーム１３の一方側において突出する移動カム３６，３６’は、継手４０，４０’又は側方のガイドを用いて装置１の骨組み４１において揺動するようにあるいは往復移動可能に支持されたスライダ３７に結合されている。連行部材３３，３４，３３’，３４’は、それぞれディスク３１，３１’の共通の回転によってそれぞれ内方又は外方へ移動し、このとき、第１の変形工具８の成形レール１１，１１’の間の間隔あるいは第２の変形工具１０の外側の成形レール２２，２２’の間の間隔が縮小又は拡大される。
【００４６】
第１の変形工具８の成形レール１１，１１’あるいは第２の変形工具１０の外側の変形レール２２，２２’がディスク３１，３１’の回転時にその長手方向において相互に変位するように、工具ビーム１３とそれぞれ動作位置にある変形工具８，１０の間にその長手延長部に対して横方向へ向けられた第１のガイド装置４２が設けられており、この第１のガイド装置は、例えば上述の部材の長手延長部に対して横方向に延びる、工具ビーム１３における溝４２’と、この溝に係合する変形工具８，１０のピン４２”（図１）又はこれに類するものとを備えている。このようにして、成形レール１１，１１’あるいは外側の成形レール２２，２２’が各変形工具８，１０の長手延長部に対して横方向にのみ調整可能であることが保証されている。このことは、上述の端面側のガイド２５，２５’に対する代替的な解決手段を表すものである。
【００４７】
図４には、第１の変形工具８及びカウンタ工具１９を備えた装置１の断面と、平らな背の範囲４’及び変形された両折り範囲６，６’を有する既に変形されたブックブロック２’とが示されている。ここで、同様に骨組み４１に結合された変形工具８の配置と、スライダ３７を介して変形工具８に結合された摺動装置３８の配置も図示されている。ディスク３１，３１’に駆動結合された、平面的に下方へ延在するスライダ３７は第２のガイド装置４３を備えており（図３）、この第２のガイド装置は、工具ビーム１３の長手延長部に対してその変位を許容するものである。第２のガイド装置３２は、この変位方向に延在し、互いに離間して配置された２つの長孔４４，４４’と、それぞれ１つの、骨組み４１に固定され、長孔４４，４４’に割り当てられ、これら長孔へ入り込むスライダブロック４５，４５’とを有しており、これらスライダブロックにおいては、スライダ３７が往復動する。
【００４８】
長孔４４，４４’の間には、下から上へ到達する、連行部材として形成された駆動カム３９のためのスリット状の開口部４６（図１、図３）が設けられており、駆動カムは、アクチュエータ９に間接的に結合されている。開口部４６は、骨組み４１に結合された第１の変形工具８の昇降を許容するものである。
【００４９】
図１、図３及び図４から分かるように、図示のアクチュエータ９はギヤモータであり、その従動軸４７はスピンドルとして形成されている。従動軸４７は、ロッド４９においてスライダ３７の摺動方向に案内される調整部材４８のスピンドルナットを噛合しつつ貫通しており、調整部材には駆動カムが固定されている。従動軸４７の支持のために、骨組み４１に結合された軸受シールド５０と、軸受ブロック５１とが設けられている。この代わりに、調整装置としてラックギヤ装置を設けることも当然可能である。
【００５０】
図４に対応して、第１の変形工具８の持上げは工具ビーム１３の収容要素１４に結合されたコンソール５２を介して行われ、このコンソールは、装置１の骨組み４１に固定されたガイドロッド５３に沿って、公知で不図示のピストン−シリンダ−ユニット又は他のストローク駆動部と協働する。第１の変形工具８の持上げにより、ブックカバー２’の背の範囲４’は、互いに離間した両成形レール１１，１１’によってカウンタ工具１９のカウンタ成形レール２０，２０’の間に背のウェブ２８を形成するよう上方へ持ち上げられ、熱の作用の下で変形される。このとき、背の範囲４’の両側において位置する折り範囲６，６’が開口ヒンジへ変形される。このために、工具ビーム１３の下方に配置されている収容要素１４は複数のヒータロッド５４を備えた加熱要素として形成されており、変形工具８を動作温度に保持するために、これらヒータロッドから熱が、工具ビーム１３を介して脚部レール１２，１２’へ、そして最終的に成形レール１１，１１’を介して、変形されるべきブックカバー２’の背の範囲４’へ伝達される。
【００５１】
変形工具８，１０の正確な位置決めのために、例えば、収容要素１４に結合された、円すい状の位置決めピン５５を有する心合わせ装置７５が設けられており（図１、図３）、この位置決めピンは、この位置決めピンのために設けられた、工具ビーム１３の端面側における孔５６（図２）にバネ圧の下で係合している。
【００５２】
装置１の変形工具についての駆動及び結合要素の別の形態のために、これに関連して装置１の統合された構成要素として理解されるべき冒頭で言及した特許文献４が参照される。
【００５３】
図５には、動作位置７にある第２の変形工具１０と、カウンタ工具１９のカウンタ成形レール２０，２０’と、カバー供給部５８（図９）の内部の載置要素５７，５７’上に変形のために準備されたブックカバー２とを有する装置１の一部が示されている。第２の変形工具１０は、まだ下降された状態、すなわち載置面１６の下方にあるとともに、これによりブックカバー２に対して離間している。この状態では、第２の変形工具１０が、ブックカバー２の背の範囲４の挿入物５の幅５９に合わせてある。このために、第２の変形工具１０の外側の成形レール２２，２２’が、工具ビーム１３の載置面（図３）上で挿入物５の幅５９に合わせて更に中央成形ウェブ２１の凹部２３，２３’内へ入るように、又は更にこれら凹部２３，２３’から出るように変位される。これにより調整された外側の成形レール２２，２２’の外側幅６０によって、第２の変形工具１０の形状あるいは同等の半径が決定される。
【００５４】
図６には、その間に図５に示されている位置から上方へ１ストローク６１だけ持ち上げられた状態における第２の変形工具１０が示されている。このストローク６１は、各ブックブロック及びこれに属するブックカバー２の厚さに依存するとともに、不図示の機械制御部によって算出され、第１の変形工具８の持上げについて既に上述したように、第２の変形工具１０へ伝達される。変形後には、挿入物５及びこれに伴いいまや丸められたブックブロック２”の背の範囲４”は、背のウェブ２８を形成するようにその当初の幅５９から投影された幅５９’へ短縮され、カウンタ成形レール２０，２０’の内側エッジが挿入物５の外側エッジで終わっている。挿入物５の投影された幅５９’は、丸められ、プレスされた、対応するブックブロックに対応している。
【００５５】
図５と同様に、図７には、同様に動作位置７のその下降した状態において位置する第２の変形工具１０と、カウンタ工具１９のカウンタ成形レール２０，２０’と、しかし他のフォーマットを有し、他の厚さを持った丸められ、及びプレスされたブックブロックに属する、変形のために準備されたブックカバー２とを有する装置１の一部が示されている。したがって、第２の変形工具１０は、同様に他のフォーマットを備えたブックカバー２の背の範囲４の、他のフォーマットを備える挿入物５の幅６２に設定されている。工具ビーム１３上で行われる外側の成形レール２２，２２’の第２の外側幅６３への適当な変位によって、第２の変形工具１０の新たな形状あるいは同様の半径が設定される。図５における図示と異なり、外側の成形レール２２，２２’が更に中央成形ウェブ２１の長手中心軸線１５に対して対称に外方へ調節されている。
【００５６】
図６と同様ではあるものの、図８には、図７に対応して設定された第２の変形工具１０が、その間に１ストロークだけ図７に示された位置から上方へ持ち上げられた状態が示されている。変形後、他のフォーマットを備えた背の範囲４の挿入物５’と、これに伴いいまや丸められたブックカバー２”の背の範囲４”とが、当初の幅６２から投影された幅６２’へ短縮され、カウンタ成形レール２０，２０’の内側エッジも同様に挿入物５’の外側エッジで終わっている。第２の変形工具１０のストローク６４は、図６について記載されているように算出され、自動的に調整されている。
【００５７】
図９には、本発明による装置１と、変形されるべきブックカバー２の背の範囲４の異なる厚さ等級に適した２つの第１の変形工具８，８’と、変形されるべきブックカバー２の背の範囲４の異なる厚さ等級に適した２つの第２の変形工具１０，１０’との平面斜視図が示されている。
【００５８】
装置１は、例示的に、ここでは単に示唆されている本の製造ライン６５に統合されている。したがって、この図示では、装置１は、カバー図９において、供給部５８と、その上に位置するブックカバー２とで十分に覆われている。これにより、装置１のうち、カバー供給部５８の機械フレーム６７における懸架部６６を有するカウンタ工具１９と、装置１に収容された第２の変形工具１０におけるその動作位置７のみが見て取れる。
【００５９】
同様に、４つの予熱ステーション６８，６８’，６９，６９’、すなわち各変形工具８，８’，１０，１０’のための固有の予熱ステーション６８，６８’，６９，６９’がカバー供給部５８に統合されている。装置１の動作時には、変形工具８，８’，１０，１０’のうちいずれかが常に装置１内に組み込まれている。図９に合わせて、第２の変形工具１０が装置１内に位置している一方、両第１の変形工具８，８’及び他の第２の変形工具１０’は、それぞれ１つの予熱ステーション６８，６８’，６９’内に位置しており、じかに加熱されるか、あるいはその設定された温度によってその次の使用まで待機する。したがって、これらは静止位置７’にある。
【００６０】
同様に、装置１に組み込まれた第２の変形工具１０のために予熱ステーション６９が設けられているが、この予熱ステーションは、現時点では空である。空の予熱ステーション６８，６８’，６９，６９’は、機械操作者によって直接、又は制御部を介してより低い温度に設定されることが可能である。このとき、その予熱ステーション６８，６８’，６９，６９’がまさに空であり、どの変形工具８，８’，１０，１０’がこれにより装置１内にあり、この変形工具８，８’，１０，１０’が進行するタスクに適しているかどうかが監視される。予熱ステーション６８，６８’，６９，６９’は、これらがそれぞれ所定の変形工具８，８’，１０，１０’の収容のためのみに適しているように構造上構成されることができる。図９の例では、ちょうどその動作位置７にある変形工具１０のみが空の予熱ステーション６９内へ通過する。
【００６１】
これにより、変形するブックカバー２のより迅速なフォーマット変更がなされ得るとしても、当然、各変形工具８，８’，１０，１０’のために適当な予熱ステーション６８，６８’，６９，６９’を配置する必要はない。一般に、それぞれその動作位置７へ搬送されるべき変形工具８，８’，１０，１０’が予熱ステーション６８，６８’，６９，６９’におけるその静止位置７’から取り出されることができれば十分である。
【００６２】
どの予熱ステーション６８，６８’，６９，６９’がちょうど空になっているか、どの変形工具８，８’，１０，１０’がこれにより装置１内に位置しているか、及びこの変形工具８，８’，１０，１０’が進行するタスクに適しているかどうかを監視するために、適当なセンサ７０を配置することが可能である。例えば、センサ７０は、予熱ステーション６８，６８’，６９，６９’のうち少なくとも１つに、又は工具ビーム１３（図４）のための収容要素１４に固定されることが可能である。
【００６３】
図９によれば、変形工具８，８’、１０，１０’は、その工具ビーム１３の端面側において、それぞれ１つのリフトフック７１を備えている。このリフトフックは、同様に不図示の巻き上げ装置を用いて、その動作位置７あるいは静止位置７’から持ち上げ、又は動作位置７あるいは静止位置７’へ組み込むために役立つものである。
【００６４】
最後に、カバー供給部５８は、両内側の載置要素５７，５７’のほかに、ブックカバー２のための２つの外側の載置要素７２，７２’と、ブックカバー２の導入のための補助装置７３と、変形工程の際にブックカバー２の持上げを回避するための安全レール７４，７４’とを更に備えている。
【図１】
2017193175.tif 000003
【図２】
2017193175.tif 000004
【図３】
2017193175.tif 000005
【図４】
2017193175.tif 000006
【図５】
2017193175.tif 000007
【図６】
2017193175.tif 000008
【図７】
2017193175.tif 000009
【図８】
2017193175.tif 000010
【図９】
2017193175.tif 000011